(57)【要約】【課題】昇降路壁への取付け作業を要することなく、かつ、巻上機設置の自由度を阻害することなく、巻上機の保守を行うことのできるエレベーター装置を提供する。【解決手段】昇降路８内を昇降するかご１と、このかご１と反対方向に昇降する釣り合い重り２と、上記かご１と釣り合い重り２とを懸架する主索３と、昇降路内ピット８ａ上方に位置して設けられ、上記かご１と釣り合い重り２とを駆動する巻上機４と、この巻上機４下部と昇降路内ピット８ａ底面の間に位置し、上記巻上機４を固定する巻上機固定台５とを有するエレベーター装置において、上記巻上機固定台５に空所５ａを形成し、この空所５ａ内に、上記巻上機４を保守する場合に使用する点検作業台９を折り畳み収納するようにした構成。【選択図】図２
2005008335.tif 000002
【特許請求の範囲】
【請求項１】
昇降路内を昇降するかごと、このかごと反対方向に昇降する釣り合い重りと、上記かごと釣り合い重りとを懸架する主索と、昇降路内ピット上方に位置して設けられ、上記かごと釣り合い重りとを駆動する巻上機と、この巻上機下部と昇降路内ピット底面の間に位置し、上記巻上機を固定する巻上機固定台とを有するエレベーター装置において、
上記巻上機固定台に空所を形成し、この空所内に、上記巻上機を保守する場合に使用する点検作業台を折り畳み収納するようにしたことを特徴とするエレベーター装置。
【請求項２】
上記点検作業台を、保守作業員が乗る足場となる踏板と、この踏板と巻上機固定台とを連結する受け材と、踏板にかかる荷重を支持する支え棒とで構成したことを特徴とする請求項１記載のエレベーター装置。
【請求項３】
上記踏板と支え棒を取り外し可能に設け、他の機器の点検に用いられるようにしたことを特徴とする請求項２記載のエレベーター装置。
【請求項４】
上記巻上機固定台に、点検作業台の収納したことを確認するスイッチを設けたことを特徴とする請求項１記載のエレベーター装置。
【発明の詳細な説明】
【０００１】
【発明の属する技術分野】
本発明は、昇降路下方に配置された巻上機を点検するのに好適なエレベーター装置に関する。
【０００２】
【従来の技術】
近時、機械室レスのエレベーターが一般的に用いられるようになっている。このエレベーターでは、かごや釣合い重りを駆動する巻上機を昇降路上部の昇降路壁面に設置したり、ピットに設置するのが一般的であった。しかし、昇降路上部の壁面に設置するものは、保守が困難であるという問題があり、また、ピットに設置するものでは、防水対策が必要であるという問題があった。
【０００３】
この問題を解決するため、ピットに巻上機固定台を設置し、この巻上機固定台上に巻上機を設けるものが採用されるようになっている（例えば特許文献１参照）。しかし、巻上機固定台上に巻上機を設けるものでは、巻上機の高さがピットから１，５ｍ程となるため、巻上機を保守する時には、はしごを用いることもできるが、はしごだけでは作業が不安定である。このため、提案されている特許文献１記載のように出入り口近傍に巻上機を位置するように据付けることができる。また、制御盤を点検するものではあるが、昇降路壁面に折畳式の作業台を設ける案を活用することもできる（例えば特許文献２参照）。
【０００４】
【特許文献１】
特開２００１−２２６０５６号公報（段落番号０００５、図１）
【０００５】
【特許文献２】
特開２００１−１９９６４７号公報（段落番号００１０、図１）
【０００６】
【発明が解決しようとする課題】
しかし、特許文献１のように、出入り口の近傍に巻上機を設置するものでは、設置位置が特定されてしまい自由度を阻害されてしまうという問題があった。更に、特許文献２のように、昇降路壁に作業台を設けるものでは、昇降路壁への取付け作業が必要となり多大の労力を要するという問題があった。
【０００７】
本発明の目的は、昇降路壁への取付け作業を要することなく、かつ、巻上機設置の自由度を阻害することなく、巻上機の保守を行うことのできるエレベーター装置を提供するにある。
【０００８】
【課題を解決するための手段】
上記目的を達成するために本発明は、昇降路内を昇降するかごと、かごと反対方向に昇降する釣り合い重りと、かご及び釣り合い重りのガイドレールと、かごと釣り合い重りとを懸架する主索と、昇降路内ピット上方に位置して設けられ、上記かごと釣り合い重りとを駆動する巻上機と、この巻上機下部と昇降路内ピット底面の間に位置し、上記巻上機を固定する巻上機固定台とを有するエレベーター装置において、上記巻上機固定台に空所を形成し、この空所内に、上記巻上機を保守する場合に使用する点検作業台を折り畳み収納するようにしたことを特徴とする。
【０００９】
上記構成によれば、巻上機固定台に空所を形成し、この空所内に、上記巻上機を保守する場合に使用する点検作業台を折り畳み収納するようにしたため、点検作業台を、昇降路壁へ取付ける作業を要することなく、かつ、巻上機をどの位置に設置しても保守を行うことができる。
【００１０】
【発明の実態の形態】
以下本発明のエレベーター装置の実施の形態を図に基づいて説明する。
【００１１】
図１は本発明の一実施形態になるエレベーター装置の概略を示す全体断面図、図２は図１の巻上機固定台近傍の拡大側面図、図３は点検作業台を巻上機固定台に収納した状態を上側から見た平面図、図４は点検作業台を収納した状態を確認する収納スイッチの作動状態を示した側面図、図５は巻上機近傍に制御装置等がある場合の点検方法を示した平面図、図６は制御装置等の点検のために点検作業台を移動した状態を示す断面図、図７は巻上機に近接して制御装置を配置した場合の状態を示す平面図である。
【００１２】
図１において、１は昇降路８内を人および荷物を載せて昇降するかご、２は上記かご１の重量を補償し、上記かご１と反対方向に昇降する釣り合い重り、３は上記かご１と上記釣り合い重りを懸架している主索、４は上記主索３を介してかご１と釣り合い重り２とを駆動し昇降させる巻上機で、この巻上機４は昇降路８内下方のピット８ａ底面より立設した巻上機固定台５に固定されている。６は上記かご１を垂直方向へ案内するかご用ガイドレール、７は上記釣り合い重り２を垂直方向へ案内する釣り合い重り用ガイドレール、１０は昇降路８の下部に設けられた制御装置、９は上記巻上機固定台５設けられた空所５ａ内に、折り畳み収納された点検作業台で、上記巻上機４を保守する場合に組立てられる。そして、この点検作業台９は、図２に示すように、保守作業者１３が乗る足場となる踏板９ａ、踏板９ａと巻上機固定台５とを連結する受け材９ｂ、踏板にかかる荷重を支持する支え棒９ｃで構成されている。
【００１３】
次に、昇降路下方に配置された巻上機５を保守する時の手順について説明する。保守作業者１３はピット８ａに入り、巻上機固定台５に収納された点検作業台９の踏板９ａを回転させ水平にした状態で、あらかじめ切り欠きを設けた受け材９ｂに支え棒９ｃを挿入し、点検作業台９を組み立てる。その後、乗降用はしご１１を踏板９ａに建て掛けて、点検作業台９上面に乗り、巻上機４の点検作業を行う。点検作業終了後、前記の手順と反対の方法で点検作業台９を巻上機固定台５の空所５ａに収納する。
【００１４】
ここで、図３は収納した状態を上側から見た状態を示す。図３で示すように、平常時においては、巻上機固定台５の空所５ａに収納されているため、かご１の昇降を妨げることはない。また、保守作業員がピット内の移動およびピット底面から手の届く範囲の機器を点検する際、点検作業台９が邪魔となることはない。
さらに、図４で示すように、受け材９ｂに収納確認スイッチ１２を設けることにより、点検作業台９が収納されていない状態では、かごを平常運転に戻すことが出来ないため、万一の場合においても、かご１が動くことが無いため、保守作業員およびかご内の乗客は安全である。
【００１５】
また、巻上機４と制御装置１０が離れた位置に配置されている場合、図５で示すように、点検作業台９の踏板９ａと受け材９ｂに連結装置９ｄを設けることにより、簡単に踏板９ａと受け材９ｂを分割することが出来る。また、図６で示すように制御装置１０下部に巻上機固定台９にある受け材９ｂと同様な受け材９’ｂを昇降路８壁面等に、アンカーボルト１１等で固定してあれば、巻上機固定台５から分割した踏板９ａと支え棒９ｃを制御装置１０下部にある受け材９’ｂに組み立てることにより、制御装置１０の点検が可能である。
【００１６】
このように、点検作業台９の一部を取り外し可能に設けておけば、これを複数設けることなく他の機器の保守も行うことができるでき、昇降路スペースの有効活用を図ることができる。
【００１７】
また、図７のように、巻上機４の近傍に制御装置１０を配置した場合には、巻上機４を点検する位置で点検作業台９を組み立てると、踏板９ａの上から巻上機４および制御装置１０も同時に点検作業が出来るため、保守作業時間の短縮および点検作業台９を複数設ける必要がないため、昇降路スペースを有効に活用できる。
【００１８】
【発明の効果】
本発明によれば、巻上機固定台に空所を形成し、この空所内に、上記巻上機を保守する場合に使用する点検作業台を折り畳み収納するようにしたため、点検作業台を、昇降路壁へ取付ける作業を要することなく、かつ、巻上機をどの位置に設置しても保守を行うことができるという顕著な効果を達成することができる。
【図面の簡単な説明】
【図１】本発明の一実施形態になるエレベーター装置の概略を示す全体断面図である。
【図２】図１の巻上機固定台近傍の拡大側面図である。
【図３】点検作業台を巻上機固定台に収納した状態を上側から見た平面図である。
【図４】点検作業台を収納した状態を確認する収納スイッチの作動状態を示した側面図である。
【図５】巻上機近傍に制御装置等がある場合の点検方法を示した平面図である。
【図６】制御装置等の点検のために点検作業台を移動した状態を示す断面図である。
【図７】巻上機に近接して制御装置を配置した場合の状態を示す平面図である。
【符号の説明】
１    かご
２    釣り合い重り
３    主索
４    巻上機
５      巻上機固定台
６    かご用ガイドレール
７    釣り合い重り用ガイドレール
８    昇降路
９    点検作業台
９ａ  踏板
９ｂ  受け材
９ｃ  支え棒
１０  制御装置
【図１】
2005008335.tif 000003
【図２】
2005008335.tif 000004
【図３】
2005008335.tif 000005
【図４】
2005008335.tif 000006
【図５】
2005008335.tif 000007
【図６】
2005008335.tif 000008
【図７】
2005008335.tif 000009